(57)【特許請求の範囲】
【請求項１】
用紙収容部に収容された芯有ロール用紙から用紙を供給しつつ印刷部で印刷可能に形成され、芯有ロール用紙の直径が所定値以下に減径した場合に用紙ニアエンドを検出する用紙ニアエンド検出手段と、用紙エンドを検出する用紙エンド検出手段とを具備するプリンタにおいて、前記用紙収容部に新たな芯有ロール用紙を収容させ、前記用紙エンド検出手段が用紙エンドを検出しなくなった後で前記芯有ロール用紙の直径が用紙ニアエンド検出手段が検出し得る所定値以下に減径する前に、前記用紙ニアエンド検出手段の検出状態を利用して古い芯が前記用紙収容部内に残っているか否かを検出する残芯検出手段と，この残芯検出手段によって古い芯が残っていることが検出された場合に残芯警報を出力する残芯警報出力制御手段とを設けたプリンタ。
【請求項２】
前記残芯検出手段が、前記用紙収容部に新たな芯有ロール用紙が収容されたことにより用紙エンド検出手段が用紙エンドを検出しなくなった時からカウントした経過時間が予めセットされた設定時間以下でありかつ前記用紙ニアエンド検出手段が用紙ニアエンドを検出していることを条件に、前記古い芯が残っていると検出可能に形成されている請求項１記載のプリンタ。
【請求項３】
前記残芯警報が出力された場合に古い芯の取出しを促す文字情報または／および画像情報を印刷出力可能に形成されている請求項１または請求項２記載のプリンタ。
【請求項４】
前記残芯警報が出力された場合にデータ通信可能に接続された外部機にその旨を送信可能に形成されている請求項１から請求項３までのいずれか１項に記載されたプリンタ。
【発明の詳細な説明】
【０００１】
【発明の属する技術分野】
本発明は、用紙収容部に収容された芯有ロール用紙から用紙を供給しつつ印刷部で印刷可能に形成され、芯有ロール用紙の直径が所定値以下に減径した場合に用紙ニアエンドを検出する用紙ニアエンド検出手段を具備するプリンタに関する。
【０００２】
【従来の技術】
芯有ロール用紙から用紙を供給しつつ印刷部で印刷可能に形成されたプリンタは、公知である。例えば、電子キャッシュレジスタのジャーナルプリンタの場合、用紙エンド検出手段によって用紙エンドが検出された場合には、図６に示す如く、プリンタカバー（図示省略）を開けてから古い芯３１を外に取り出し、その後に新たな芯有ロール用紙（芯３１，用紙３２）３０を挿入して用紙収容部２５内に収容させる。
【０００３】
この芯有ロール用紙３０から引き出された用紙３２の先端は、印刷部を形成するヘッド２３とその下方のプラテン（図示省略）との間を通した後に、図７に示すテイクアップ芯３５に取り付けられて用紙回収部（図示省略）にセットされる。
【０００４】
ここに、用紙収容部２５は、図８に示す如く、大径の芯有ロール用紙３０を収容する収容ケース２６と，小径となった芯有ロール用紙３０を収容可能な窪み２７とを有する。芯有ロール用紙３０から引き出された用紙３２は、印刷部に向かうＺ方向へ供給される。印刷運転に伴い直径が所定値以下に減径した芯有ロール用紙３０は、収容ケース２６の内底面を図８で右→左に移動しかつ傾斜面２７Ｓを転がって窪み２７内に徐々に沈む。
【０００５】
そして、用紙の残りが少なくなると、用紙ニアエンド検出手段（例えば、バネ式のリーフスイッチ４２）が用紙ニアエンドを検出する。この場合は、芯有ロール用紙３０が自重でリーフスイッチ４２をＯＮさせる。
【０００６】
さらに、印刷運転が進み用紙が無くなると、用紙エンド検出手段４１が用紙エンドを検出する。この用紙エンド検出手段４１は、例えば、図８に示す窪み２７の上部側に設けた発光器４１Ｂ１および受光器４１Ｂ２あるいは印刷部（２３）に近い位置に設けられた発光器４１Ａ１および受光器４１Ａ２から形成されている。
【０００７】
かかるプリンタでは、用紙ニアエンドおよび用紙エンドが検出されると、用紙切れが近付いている旨の警報や芯有ロール用紙３０の交換を促す警報を出力する。また、例えば印刷データを作成する外部機がデータ通信可能に接続されている場合には、当該外部機に当該各検出信号を送信する。
【０００８】
さらに、プリンタ自体で、例えば用紙エンドが検出された場合（図９のＳＴ４０でＹＥＳ）に印刷停止する（ＳＴ４５）。また、用紙ニアエンドが複数（Ｎ）回繰り返して検出された場合（ＳＴ４１〜ＳＴ４４）に、印刷停止（ＳＴ４５）するように形成されたものもある。なお、図９のプログラムは、定時的に繰り返して実行される。
【０００９】
【発明が解決しようとする課題】
ところで、用紙収容部２５の窪み２７は減径した芯有ロール用紙３０を収容可能な大きさ（深さ）であるから、古い芯３１が残っていても新たな芯有ロール用紙３０を収容ケース２６内に収容させることができかつプリンタカバーを閉めた状態での印刷運転も可能である。
【００１０】
かくして、オペレータが古い芯３１の取り出しを忘れると、新たな芯有ロール用紙３０を収容（交換）した直後に、用紙ニアエンド検出手段（４２）が用紙ニアエンドを検出してしまうので、誤った警報を出力することになり、外部機には誤った情報を送信することになり、さらには印刷停止となってしまう不都合が生じる。
【００１１】
また、このような事態が起こると、オペレータが慌てしまい芯３１の取り忘れであることに気付かない場合があり、長時間の印刷停止を余儀なくされる場合が生じる。
【００１２】
この点に関して、新たな芯有ロール用紙３０を収容（交換）した直後は、用紙ニアエンド検出手段（４２）を検出できないようにしたり、芯３１を取り忘れていないかどうかを確認させるためのメッセージを毎回かつ強制的に流すようにすることが考えられるが、取り扱いが煩雑でかつ面倒である。
【００１３】
さらに、プリンタを使用する国の一般的作業者の技術的レベル，言語等の関係から、残芯に対する画一的な対策が望まれている。換言すれば、芯３１の取り忘れおよび取出しを正確かつ簡単に知らせることのできる国々に共通な策を確立できれば、プリンタのコストを国際的に低減できる。
【００１４】
本発明の目的は、芯忘れを迅速かつ正確に知らせることのできるプリンタを提供することにある。また、芯忘れを作業者に解り易く知らせることのできるプリンタを提供する。
【００１５】
【課題を解決するための手段】
請求項１の発明は、用紙収容部に収容された芯有ロール用紙から用紙を供給しつつ印刷部で印刷可能に形成され、芯有ロール用紙の直径が所定値以下に減径した場合に用紙ニアエンドを検出する用紙ニアエンド検出手段と、用紙エンドを検出する用紙エンド検出手段とを具備するプリンタにおいて、前記用紙収容部に新たな芯有ロール用紙を収容させ、前記用紙エンド検出手段が用紙エンドを検出しなくなった後で前記芯有ロール用紙の直径が用紙ニアエンド検出手段が検出し得る所定値以下に減径する前に、前記用紙ニアエンド検出手段の検出状態を利用して古い芯が前記用紙収容部内に残っているか否かを検出する残芯検出手段と，この残芯検出手段によって古い芯が残っていることが検出された場合に残芯警報を出力する残芯警報出力制御手段とを設けたプリンタである。
【００１６】
かかる発明では、用紙収容部に新たな芯有ロール用紙が収容されると、その直後に、残芯検出手段が、用紙ニアエンド検出手段の検出状態を利用して古い芯が用紙収容部内に残っているか否かを検出する。用紙ニアエンド検出手段が、新しい芯有ロール用紙を収容させたにも拘わらず、用紙ニアエンドが検出されている場合には古い芯が残っていると検出する。すると、残芯警報出力制御手段は、この残芯検出手段によって古い芯が残っていることが検出された場合に、残芯警報を出力する。これにより、例えば表示や印刷によって警報することができる。
【００１７】
したがって、芯忘れを迅速かつ正確に知らせることができるから、作業者は直ちに古い芯を取り出せる。かくして、誤った用紙ニアエンド検出を解消できかつ外部機に連続的に誤った情報を送信することを防止できるとともに、用紙ニアエンドが繰り返し所定回数だけ検出された場合に印刷停止するシステムの場合でも無用な印刷停止を未然防止することができる。また、残芯検出と用紙ニアエンド検出とを同一の用紙ニアエンド検出手段を用いて行えるので、構造が簡単でかつ低コストで具現化できる。
【００１８】
また、請求項２の発明は、前記残芯検出手段が、前記用紙収容部に新たな芯有ロール用紙が収容されたことにより用紙エンド検出手段が用紙エンドを検出しなくなった時からカウントした経過時間が予めセットされた設定時間以下でありかつ前記用紙ニアエンド検出手段が用紙ニアエンドを検出していることを条件に、前記古い芯が残っていると検出可能に形成されたプリンタである。
【００１９】
かかる発明では、用紙収容部に新たな芯有ロール用紙が収容されると、用紙エンド検出手段が用紙エンドを検出しなくなる。この時から経過時間がカウントされる。ここに、残芯検出手段は、カウントした経過時間が予めセットされた設定時間（例えば、１分）以下である期間中に用紙ニアエンド検出手段が用紙ニアエンドを検出していれば、古い芯が残っていると検出する。カウント経過時間が設定時間を超えた場合には、古い芯が残っているとは検出しない。その後の印刷運転に伴う減径による本当の用紙ニアエンドを検出可能とするためである。すなわち、時間管理によって残芯を正確に検出できる。
【００２０】
したがって、請求項１の発明の場合と同様な作用効果を奏することができることに加え、さらに設定時間を設定変更可能に形成することができるから、運用上の実際に対する適応性が広い。
【００２１】
また、請求項３の発明は、前記残芯警報が出力された場合に古い芯の取出しを促す文字情報または／および画像情報を印刷出力可能に形成されたプリンタである。
【００２２】
かかる発明では、残芯警報が出力された場合には、当該用紙収容部に収容された新しい芯有ロール用紙から引き出した用紙に古い芯の取出しを促す文字情報（例えば、“Ｃａｕｔｉｏｎ！  Ｒｅｍｏｖｅ  ｔｈｅ  ＣＯＲＥ”）や画像情報（例えば、“ロール芯の引き出し図形”や注意喚起力を上げるびっくりマーク“！”）を印刷出力する。つまり、自機内あるいは接続された他のプリンタで印刷することができる。
【００２３】
したがって、請求項１および請求項２の発明の場合と同様な作用効果を奏することができることに加え、作業者の技術的レベルや習熟度に拘わらずに残芯取り出しの必要性を解り易く知らせることができる。また、画像情報の場合はさらに各国の言語等の相違を超えた共通の情報を与え得ることができる。
【００２４】
さらに、請求項４の発明は、前記残芯警報が出力された場合にデータ通信可能に接続された外部機にその旨を送信可能に形成されているプリンタである。
【００２５】
かかる発明では、残芯警報が出力された場合には、その旨が外部機に送信される。したがって、請求項１から請求項３までの発明の場合と同様な作用効果を奏することができることに加え、さらに残芯であるのか用紙ニアエンド検出であるのかに関する外部機側での無用な懸念を一掃化でき得る。
【００２６】
【発明の実施の形態】
以下、本発明の実施形態について図面を参照して説明する。
【００２７】
本プリンタは、基本的構成・機能が従来例（図６〜図９）の場合と同様なものとされているが、さらに図１に示す如く、残芯検出手段（１１，１２）と残芯警報出力制御手段（１１，１２）とを設け、用紙収容部２５に新たな芯有ロール用紙３０を収容させた直後の用紙ニアエンド検出手段（４２）の検出状態を利用して古い芯３１が用紙収容部（２７）内に残っているか否かを検出可能かつ古い芯が残っていることが検出された場合に残芯警報を出力可能に形成されている。
【００２８】
なお、本プリンタは、この実施形態では、電子キャッシュレジスタ５０にデータ通信回線（例えば、ＲＳ−２３２Ｃ）１を介してデータ通信可能に接続されたジャーナルプリンタ（１０，２０）を構成するものとされ、ジャーナルデータを印刷（印字）する。この実施形態では、当該電子キャッシュレジスタ５０をプリンタ（１０，２０）側から見た外部機とする。
【００２９】
図１において、プリンタの一部を構成する制御部１０は、ＣＰＵ１１，ＲＯＭ１２，ＲＡＭ１３，キャラクタＲＯＭであるＥＥＰＲＯＭ１４，印刷部２０用のインターフェイス（Ｉ／Ｆ）１６，入出力ポート（Ｉ／Ｏ）１７および外部機（５０）との接続用インターフェイス（Ｉ／Ｆ）１８を含み、電子キャッシュレジスタ５０から受信した印刷データ（ジャーナルデータ）を所定処理して印刷部２０に印刷させることができる。
【００３０】
なお、このプリンタ（１０，２０）は、外部機が上記電子キャッシュレジスタ５０に限定されない例えばパソコンからの印刷データを受信して印刷可能で独立的な印刷装置を構成することもできる。また、表示部等を設けることも可能である。
【００３１】
印刷部２０は、用紙搬送手段，サーマルヘッドを有する印刷実行手段等を含み、制御部１０から受けたジャーナルデータを印刷可能である。なお、印刷部２０は、インクジェット方式，ドットインパクト方式等であってもよい。
【００３２】
電子キャッシュレジスタ５０は、ＣＰＵ５１，ＲＯＭ５２，ＲＡＭ５３，キーボード（ＫＢ）５４，表示部（ＩＮＤ）５５，レシートプリンタ（Ｒ・Ｐ）５６，その他のスキャナ，ドロワ，カードリーダライタ等を含む入出力手段（ＯＴＨ）５７，本プリンタ（１０）との接続用インターフェイス（Ｉ／Ｆ）５８および上位機（ストアコントローラ）６０との接続用インターフェイス（Ｉ／Ｆ）５８を有し、商品登録機能・会計処理機能等を実行することができる。
【００３３】
データ通信回線１，電子キャッシュレジスタ５０およびデータ通信回線（例えば、ＬＡＮ）５を介して接続された上位機（ストアコントローラ）６０も、本プリンタ（１０，２０）の外部機である。
【００３４】
さて、残芯検出手段（ＣＰＵ１１，ＲＯＭ１２）は、図８に示す用紙収容部２５に新たな芯有ロール用紙３０を収容させた直後の用紙ニアエンド検出手段（リーフスイッチ４２）の検出状態を利用して古い芯３１が用紙収容部２５（２７）内に残っているか否かを検出する手段である。
【００３５】
新たな芯有ロール用紙３０を収容させた“直後”とは、例えば１秒以内と言う意味でなく、少なくてもプリントカバーを閉じてかつ当該芯有ロール用紙３０から引き出した用紙３２に印刷部（２３）で印刷運転可能になるまでの期間中を含む概念である。したがって、用紙エンド検出手段４１が用紙エンドを検出していることはない。また、窪み２７に落ち込むほどに芯有ロール用紙３０の直径が所定値以下に減径した以降は“直後”でない。
【００３６】
この実施形態では、残芯検出手段（１１，１２）を、次のように形成している。すなわち、用紙収容部２５（２６）に新たな芯有ロール用紙３０が収容されたことにより用紙エンド検出手段４１が用紙エンドを検出しなくなった時（図２のＳＴ１０でＮＯ）からカウント開始（ＳＴ１４）された経過時間Ｔｃが予めセットされた設定時間Ｔｓ以下（図３のＳＴ１６でＮＯ）でありかつ用紙ニアエンド検出手段（４２）が用紙ニアエンドを検出（ＳＴ１５のＹＥＳ）していることを条件に、窪み２７内に古い芯３１が残っていると検出（ＳＴＳＴ１５のＹＥＳ，ＳＴ１６のＮＯ）するものと形成してある。この設定時間Ｔｓは、設定変更可能である。
【００３７】
なお、経過時間Ｔｃのカウントは、例えば図１に示すプリントカバーセンサ４５によってプリントカバーの閉塞が検出された時から開始するように形成することができる。
【００３８】
さらに、残芯検出手段（１１，１２）の検出要件である“用紙収容部２５（２６）に新たな芯有ロール用紙３０を収容させた直後”を、このプリントカバーセンサ４５が“プリントカバーの閉塞を検出した時以降”として形成することも可能である。
【００３９】
次に、残芯警報出力制御手段（ＣＰＵ１１，ＲＯＭ１２）は、この残芯検出手段（１１，１２）によって古い芯３１が残っていることが検出された場合（ＳＴＳＴ１５のＹＥＳ，ＳＴ１６のＮＯ）に、残芯警報を出力する（図３のＳＴ２３）。この残芯警報の出力は、例えば、表示，印刷や発音をさせるための信号として出力可能であればよい。
【００４０】
この実施形態では、残芯警報が出力（ＳＴ２３）された場合にデータ通信可能に接続された外部機（５０，６０）にその旨を送信可能に形成してある。
【００４１】
すなわち、電子キャッシュレジスタ５０側では、受信（図４のＳＴ３０でＹＥＳ）した残芯警報出力を利用して、表示部５５に表示警報（ＳＴ３１）し、また印刷警報が選択されている場合（ＳＴ３２のＹＥＳ）にはレシートプリンタ５６を用いて印刷警報（ＳＴ３３）するものと形成してある。さらに、外部機への送信が選択してあれば（ＳＴＳＴ３４のＹＥＳ）、上位機たるストアコントローラ（外部機）６０へその旨を送信（ＳＴ３５）することができる。
【００４２】
この印刷警報（出力）は、古い芯３１の取出しを促す画像情報、例えば図５の左側にに示す情報Ｄ１［感嘆符いわゆるびっくりマーク“！”］およびその右側に示す情報Ｄ２［“ロール芯の引き出し図形”］を印刷出力可能に形成してある。もとより、これらとともに文字情報（例えば、“Ｃａｕｔｉｏｎ！  Ｒｅｍｏｖｅ  ｔｈｅ  ＣＯＲＥ”）を印刷出力するように形成することもできる。さらに、文字情報だけを印刷出力可能に形成してもよい。
【００４３】
この印刷警報出力は、レシートプリンタ５６を利用したレシート形式の図５の警報通知票５６Ｐを発行するのみならず、自機（１０，２０）内で用紙３２に印刷することも選択可能に形成してある。前者の場合は、単票として入手できる便利さがあり、後者の場合は独立的印刷装置として使用される場合に有効であるとともにジャーナルとして経歴記憶可能である。
【００４４】
かかる実施形態のプリンタでは、印刷運転に伴い用紙エンド検出手段４１によって用紙エンドが検出（図２のＳＴ１０でＹＥＳ）されると、用紙エンド検出の旨の記憶がなければその旨を記憶（ＳＴ２７のＮＯ，ＳＴ２８）し、用紙エンドの警報を行う（ＳＴ２９）。
【００４５】
この実施形態では、電子キャッシュレジスタ５０側の電子ブザー（図示省略）を用いて行う。表示部５５で表示警報するようにしてもよい。また、この警報出力は、１回とされている（ＳＴ２７のＹＥＳ，ＳＴ１０のＹＥＳ）。電子キャッシュレジスタ５０側で、受信した警報出力をクリア操作されるまでラッチさせるように形成してあるからである。
【００４６】
そして、用紙エンドになると、強制印刷停止制御手段（ＣＰＵ１１，ＲＯＭ１２）が、印刷部２０に強制停止信号を転送して印刷停止（図３のＳＴ２０）させる。かくして、作業者は、図６，図７に示すような手順で新しい芯有ロール用紙３０を用紙収容部２５（２６）に収容させる。その後にプリンタカバーを閉じる。なお、ＳＴ２１については、後記する。
【００４７】
かくして、印刷運転を再開すると、用紙エンドは検出されない（ＳＴ１０のＮＯ）ので、用紙エンド検出記憶を消去しておく（ＳＴ１１のＹＥＳ，ＳＴ１２）。次の用紙エンド警報準備のためである。
【００４８】
この段階では、直前の印刷停止（ＳＴ２０）後に先の経過時間がＳＴ２１でクリア（“０”）されていると判別（ＳＴ１３のＹＥＳ）される。したがって、カウント手段（ＣＰＵ１１，ＲＯＭ１２）が、内蔵された時計回路（図示省略）を利用して経過時間Ｔｃのカウントを開始する（ＳＴ１４）。
【００４９】
また、古い芯３１が取り出されていれば、用紙ニアエンドは検出されず（図３のＳＴ１５でＮＯ）、また残芯警報記憶もない（ＳＴ２５のＮＯ）ので、用紙ニアエンド乃至用紙エンドの監視下で、印刷運転がそのまま続行される。
【００５０】
ところが、作業者が新しい芯有ロール用紙３０を交換する際に古い芯３１を取り出さなかったために、その芯３１が窪み２７内に残っていると、その重みによってリーフスイッチ４２がＯＮされたままとなっているから、用紙ニアエンドが検出された状態と同じになる（ＳＴ１５でＹＥＳ）。
【００５１】
したがって、残芯検出手段（１１，１２）は、用紙収容部２５（２６）に新たな芯有ロール用紙３０が収容されたことにより用紙エンド検出手段４１が用紙エンドを検出しなくなった時（図２のＳＴ１０でＮＯ）からカウント開始（ＳＴ１４）された経過時間Ｔｃが予めセットされた設定時間Ｔｓ以下（図３のＳＴ１６でＮＯ）でありかつ用紙ニアエンド検出手段（４２）が用紙ニアエンドを検出（ＳＴ１５のＹＥＳ）しているので、窪み２７内に古い芯３１が残っていると検出（ＳＴＳＴ１５のＹＥＳ，ＳＴ１６のＮＯ）する。
【００５２】
これにより、残芯警報出力制御手段（ＣＰＵ１１，ＲＯＭ１２）は、残芯警報を出力する（図３のＳＴ２３）。なお、この出力も、用紙エンドの場合（ＳＴ２７のＮＯ，ＳＴ２８）と同様の理由で、その旨を記憶（ＳＴ２４）することにより１回出力（ＳＴ２２のＹＥＳ）とされている。
【００５３】
かくして、作業者は、図５の情報Ｄ１，Ｄ２から芯３１の取り忘れを迅速かつ正確に、しかも解りやすく知ることができるから、直ちに古い芯３１を取り出すことができる。その後の印刷運転再開では、用紙ニアエンドが検出されなくなる（ＳＴＳＴ１５のＮＯ）。この際に、残芯警報記憶が消去される（ＳＴ２５でＹＥＳ，ＳＴ２６）。
【００５４】
印刷運転が進み、芯有ロール用紙３０の直径が所定値以下に減径して窪み２７に落ちると、用紙ニアエンドが検出（ＳＴ１５のＹＥＳ）される。この段階では、カウント経過時間Ｔｃ（例えば、１０時間）が設定時間Ｔｓ（例えば、１分）を超えている（ＳＴ１６のＹＥＳ）ので、通常的な用紙ニアエンド警報が成される（ＳＴ１７）。
【００５５】
この際に、用紙ニアエンド検出回数Ｎがインクレメント（Ｎ＝Ｎ＋１）される（ＳＴ１８）。この検出回数Ｎが設定回数Ｎｓ（例えば、３回）になると（ＳＴ１９のＹＥＳ）、印刷停止（ＳＴ２０）されるとともに、検出回数Ｎ及びカウント経過時間Ｔｃを０にクリア（ＳＴ２１）する。なお、繰り返し検出時印刷停止機能（ＳＴ１８，ＳＴ１９のＹＥＳ，ＳＴ２０）は、選択的にバイパス可能に形成されている。
【００５６】
【発明の効果】
請求項１の発明によれば、残芯検出手段と残芯警報出力制御手段とを設け、用紙収容部に新たな芯有ロール用紙を収容させ、前記用紙エンド検出手段が用紙エンドを検出しなくなった後で前記芯有ロール用紙の直径が用紙ニアエンド検出手段が検出し得る所定値以下に減径する前に、前記用紙ニアエンド検出手段の検出状態を利用して古い芯が用紙収容部内に残っていることが検出された場合に残芯警報を出力可能に形成されたプリンタであるから、芯忘れを迅速かつ正確に知らせることができるので、作業者は直ちに古い芯を取り出せる。したがって、誤った用紙ニアエンド検出を解消できかつ外部機に連続的に誤った情報を送信することを防止できるとともに、用紙ニアエンドが繰り返し所定回数だけ検出された場合に印刷停止するシステムの場合でも無用な印刷停止を未然防止することができる。また、残芯検出と用紙ニアエンド検出とを同一の用紙ニアエンド検出手段を用いて行えるので、構造が簡単でかつ低コストで具現化できる。
【００５７】
また、請求項２の発明によれば、残芯検出手段が用紙収容部に新たな芯有ロール用紙が収容されたことにより用紙エンドを検出しなくなった時からカウントした経過時間が設定時間以下でありかつ用紙ニアエンド検出手段が用紙ニアエンドを検出していることを条件に、古い芯が残っていると検出可能に形成されているので、請求項１の発明の場合と同様な効果を奏することができることに加え、さらに設定時間を設定変更可能に形成することができるから、運用上の実際に対する適応性が広い。
【００５８】
また、請求項３の発明によれば、残芯警報が出力された場合に古い芯の取出しを促す文字情報（例えば、“Ｃａｕｔｉｏｎ！  Ｒｅｍｏｖｅ  ｔｈｅ  ＣＯＲＥ”）や画像情報（例えば、“ロール芯の引き出し図形”や注意喚起力を上げるびっくりマーク“！”）を印刷出力可能に形成されているので、請求項１および請求項２の発明の場合と同様な効果を奏することができることに加え、作業者の技術的レベルや習熟度に拘わらずに残芯取り出しの必要性を解り易く知らせることができる。また、画像情報の場合はさらに各国の言語等の相違を超えた共通の情報を与え得ることができる。
【００５９】
さらに、請求項４の発明によれば、残芯警報が出力された場合にデータ通信可能に接続された外部機にその旨を送信可能に形成されているので、請求項１から請求項３までの発明の場合と同様な効果を奏することができることに加え、さらに残芯であるのか用紙ニアエンド検出であるのかに関する外部機側での無用な懸念を一掃化でき得る。
【図面の簡単な説明】
【図１】本発明の実施形態を示すブロック図である。
【図２】同じく、プリンタ側の動作を説明するためのフローチャート（１）である。
【図３】同じく、プリンタ側の動作を説明するためのフローチャート（２）である。
【図４】同じく、電子キャッシュレジスタ側の動作を説明するためのフローチャートである。
【図５】同じく、残芯警報に基づく画像情報印刷形態例を説明するための図である。
【図６】従来例における芯有ロール用紙の収容方法を説明するための図である。
【図７】同じく、収容された芯有ロール用紙のセット方法を説明するための図である。
【図８】同じく、用紙収容部を説明するための図である。
【図９】同じく、プリンタ動作を説明するためのフローチャートである。
【符号の説明】
１  データ通信回線
１０  制御部（プリンタ）
１１  ＣＰＵ（残芯検出手段，残芯警報制御手段）
１２  ＲＯＭ（残芯検出手段，残芯警報制御手段）
１３  ＲＡＭ
２０  印刷部（プリンタ）
２５  用紙収容部
２６  収容ケース
２７  窪み
３０  芯有ロール用紙
３１  芯
３２  用紙
４１  用紙エンド検出手段
４２  リーフスイッチ（用紙ニアエンド検出手段）
５０  電子キャッシュレジスタ（外部機）
５５  表示部
５６  レシートプリンタ
６０  ストアコントローラ（外部機）
【図１】
0003685622.tif 000002
【図２】
0003685622.tif 000003
【図３】
0003685622.tif 000004
【図４】
0003685622.tif 000005
【図５】
0003685622.tif 000006
【図６】
0003685622.tif 000007
【図７】
0003685622.tif 000008
【図８】
0003685622.tif 000009
【図９】
0003685622.tif 000010